(57)【要約】【課題】希望信号と干渉信号とを含む受信信号から干渉信号を抑圧する際の抑圧性能を向上させた干渉信号抑圧回路を提供する。【解決手段】希望信号と干渉信号とを含む受信信号を入力し、干渉信号の複製信号を生成して干渉レプリカ原信号として出力する干渉レプリカ原信号生成部１１と、受信信号の振幅に応じて干渉レプリカ原信号の振幅を変化させ、干渉レプリカ信号として出力するゲイン補正部１２と、トランスバーサルフィルタを有するものであって、所定の誤差信号と干渉レプリカ信号とを入力し、誤差信号のパワーが小さくなるようにフィルタ特性を調節したトランスバーサルフィルタに干渉レプリカ信号を通した信号を出力する適応フィルタ３２と、遅延受信信号から適応フィルタの出力信号を減じた信号を誤差信号として出力する加減算部３１とを備える干渉信号抑圧回路。【選択図】図１
2015192292.tif 000002
【特許請求の範囲】
【請求項１】
希望信号と干渉信号とを含む受信信号を入力し、干渉信号の複製信号を生成して干渉レプリカ原信号として出力する干渉レプリカ原信号生成部と、
前記受信信号の振幅に応じて前記干渉レプリカ原信号の振幅を変化させ、干渉レプリカ信号として出力するゲイン補正部と、
前記受信信号を入力し、前記干渉レプリカ原信号生成部及び前記ゲイン補正部での処理時間分、前記受信信号を遅延させ、遅延受信信号として出力する遅延部と、
トランスバーサルフィルタを有するものであって、所定の誤差信号と前記干渉レプリカ信号とを入力し、前記誤差信号のパワーが小さくなるようにフィルタ特性を調節した前記トランスバーサルフィルタに前記干渉レプリカ信号を通した信号を出力する適応フィルタと、
前記遅延受信信号から前記適応フィルタの出力信号を減じた信号を前記誤差信号として出力する加減算部と
を備えることを特徴とする干渉信号抑圧回路。
【請求項２】
前記ゲイン補正部が、前記受信信号の振幅を表す値を移動平均した値に応じて、前記干渉レプリカ原信号の振幅を変化させ、前記干渉レプリカ信号として出力する
ことを特徴とする請求項１に記載の干渉信号抑圧回路。
【請求項３】
前記ゲイン補正部が、前記受信信号の振幅を表す値として前記受信信号の絶対値を算出する絶対値算出部と、前記絶対値算出部が算出した前記絶対値に応じた値を前記干渉レプリカ原信号に対して乗じることで前記干渉レプリカ信号を算出する乗算部とを備えるものである
ことを特徴とする請求項１又は２に記載の干渉信号抑圧回路。
【請求項４】
前記受信信号が、角度変調された希望信号と角度変調された信号であって前記希望信号より電力レベルが高い干渉信号とを含む信号であり、
前記干渉レプリカ原信号生成部が、
前記受信信号の周波数検波を行い、前記受信信号の周波数の変位を振幅の変位として表す信号を出力する周波数検波部と、
前記周波数検波部の出力信号を周波数変調することで前記干渉レプリカ原信号を生成して出力する周波数変調部とを備えるものである
ことを特徴とする請求項１から３のいずれか１項に記載の干渉信号抑圧回路。
【請求項５】
前記干渉レプリカ原信号生成部が、
前記周波数検波部の出力信号を入力してその入力された信号の周波数帯域に所定の制限をかけた信号を前記周波数変調部に対して出力する帯域制限フィルタ、
前記受信信号を入力して前記干渉信号の周波数帯域を通過させた信号を前記周波数検波部に対して出力する受信フィルタ、
前記周波数変調部の入力信号に対して作用するフィルタであって前記希望信号を変調する際に使用される変調フィルタと同じ構成のフィルタ、又は、
前記周波数変調部の入力信号に対して作用するフィルタであって前記希望信号を復調する際に使用される復調フィルタと同じ構成のフィルタ
の少なくとも１つをさらに備える
ことを特徴とする請求項４に記載の干渉信号抑圧回路。
【請求項６】
前記周波数検波部へ入力される信号の周波数をシフトする周波数シフト部と、
前記周波数変調部から出力された信号の周波数を逆シフトする周波数逆シフト部と
をさらに備えることを特徴とする請求項４又は５に記載の干渉信号抑圧回路。
【請求項７】
縦続接続した複数の請求項１から６のいずれか一項に記載の干渉信号抑圧回路を備える
ことを特徴とする干渉信号抑圧回路。
【請求項８】
希望信号と複数の干渉信号とを含む受信信号を入力し、各干渉信号の複製信号をそれぞれ生成して干渉レプリカ原信号としてそれぞれ出力する複数の干渉レプリカ原信号生成部と、
前記受信信号の振幅に応じて前記各干渉レプリカ原信号の振幅をそれぞれ変化させ、干渉レプリカ信号としてそれぞれ出力する複数のゲイン補正部と、
前記受信信号を入力し、前記各干渉レプリカ原信号生成部及び前記各ゲイン補正部での処理時間分、前記受信信号を遅延させ、遅延受信信号として出力する遅延部と、
トランスバーサルフィルタをそれぞれ有するものであって、所定の誤差信号と前記各干渉レプリカ信号とをそれぞれ入力し、前記誤差信号のパワーが小さくなるようにフィルタ特性を調節した前記各トランスバーサルフィルタに前記各干渉レプリカ信号を通した信号をそれぞれ出力する複数の適応フィルタと、
前記遅延受信信号から前記各適応フィルタの出力信号を減じた信号を前記誤差信号として出力する加減算部と
を備えることを特徴とする干渉信号抑圧回路。
【請求項９】
前記複数の干渉信号の各周波数にそれぞれ対応した各通過帯域を有する複数のフィルタであって、前記受信信号を透過させた信号を前記各干渉レプリカ原信号生成部に対してそれぞれ出力する複数のフィルタをさらに備え
前記遅延部が、前記フィルタの処理時間分、さらに前記受信信号を遅延させる
ことを特徴とする請求項８に記載の干渉信号抑圧回路。
【請求項１０】
希望信号と干渉信号とを含む受信信号を入力し、干渉信号の複製信号を生成して干渉レプリカ原信号として出力する干渉レプリカ原信号生成部と、
前記受信信号の振幅に応じて前記干渉レプリカ原信号の振幅を変化させ、干渉レプリカ信号として出力するゲイン補正部と、
前記受信信号を入力し、前記干渉レプリカ原信号生成部及び前記ゲイン補正部での処理時間分、前記受信信号を遅延させ、遅延受信信号として出力する遅延部と、
トランスバーサルフィルタを有するものであって、所定の誤差信号と前記干渉レプリカ信号とを入力し、前記誤差信号のパワーが小さくなるようにフィルタ特性を調節した前記トランスバーサルフィルタに前記干渉レプリカ信号を通した信号を出力する適応フィルタと、
前記遅延受信信号から前記適応フィルタの出力信号を減じた信号を前記誤差信号として出力する加減算部と
を用いて、
前記受信信号から前記干渉信号を抑圧した信号である干渉抑圧信号を前記加減算部の出力として求める
ことを特徴とする干渉信号抑圧方法。
【発明の詳細な説明】
【技術分野】
【０００１】
本発明は、受信信号に含まれる干渉信号を抑圧する際に用いて好適な干渉信号抑圧回路及び干渉信号抑圧方法に関する。
【背景技術】
【０００２】
受信信号に含まれる干渉信号を抑圧するための技術の一例が特許文献１に記載されている。特許文献１に記載されている干渉除去回路では、受信信号に含まれる干渉チャネルの信号すなわち干渉信号を復調し、復調時に再生された再生キャリアと再生クロックとを用い、復調した信号を逆位相の再生キャリアで再変調することで干渉信号の再変調信号を生成する。この再変調信号は、干渉信号と逆位相となるように複製された信号である。そして、この再変調信号と、再変調までに要する時間分遅延させた受信信号とを合成することで受信信号に含まれる干渉信号を抑圧する。また、特許文献１に記載されている干渉除去回路には、複製した再変調信号と干渉信号とが、振幅レベルが互いに同一レベルとなり、位相が互いに逆位相となるよう、位相調整回路及び振幅調整回路が設けられている。これらの位相調整回路及び振幅調整回路は、干渉信号の帯域の電力が最小となるように又は回線品質の評価結果に応じて再変調信号の位相及び振幅を調整する。
【先行技術文献】
【特許文献】
【０００３】
【特許文献１】特開２０００−１５１５３０号公報
【発明の概要】
【発明が解決しようとする課題】
【０００４】
特許文献１に記載されている干渉除去回路では、受信信号から複製した再変調信号と、所定時間遅延させた受信信号とを合成することで受信信号に含まれる干渉信号を抑圧する。その際、複製する再変調信号の位相及び振幅は、合成後の信号の電力や回線品質の評価結果に応じて調整される。すなわち、再変調信号の位相及び振幅は、制御量である合成後の信号に応じてフィードバック制御される。この構成では、受信信号に含まれる干渉信号に比較的速い変化が発生する場合、振幅調整や位相調整に比較的高い追従性が求められる。言い換えれば、受信信号に含まれる干渉信号に比較的速い変化が生じる場合、干渉信号の抑圧性能が低下するときがあるという課題がある。
【０００５】
本発明は、上記の事情を考慮してなされたものであり、干渉信号の抑圧性能を向上させることができる干渉信号抑圧回路及び干渉信号抑圧方法を提供することを目的とする。
【課題を解決するための手段】
【０００６】
上記課題を解決するため、本発明の干渉信号抑圧回路は、希望信号と干渉信号とを含む受信信号を入力し、干渉信号の複製信号を生成して干渉レプリカ原信号として出力する干渉レプリカ原信号生成部と、前記受信信号の振幅に応じて前記干渉レプリカ原信号の振幅を変化させ、干渉レプリカ信号として出力するゲイン補正部と、前記受信信号を入力し、前記干渉レプリカ原信号生成部及び前記ゲイン補正部での処理時間分、前記受信信号を遅延させ、遅延受信信号として出力する遅延部と、トランスバーサルフィルタを有するものであって、所定の誤差信号と前記干渉レプリカ信号とを入力し、前記誤差信号のパワーが小さくなるようにフィルタ特性を調節した前記トランスバーサルフィルタに前記干渉レプリカ信号を通した信号を出力する適応フィルタと、前記遅延受信信号から前記適応フィルタの出力信号を減じた信号を前記誤差信号として出力する加減算部とを備えることを特徴とする。
【０００７】
また、本発明の他の干渉信号抑圧回路は、前記ゲイン補正部が、前記受信信号の振幅を表す値を移動平均した値に応じて、前記干渉レプリカ原信号の振幅を変化させ、前記干渉レプリカ信号として出力することを特徴とする。
【０００８】
また、本発明の他の干渉信号抑圧回路は、前記ゲイン補正部が、前記受信信号の振幅を表す値として前記受信信号の絶対値を算出する絶対値算出部と、前記絶対値算出部が算出した前記絶対値に応じた値を前記干渉レプリカ原信号に対して乗じることで前記干渉レプリカ信号を算出する乗算部とを備えるものであることを特徴とする。
【０００９】
また、本発明の他の干渉信号抑圧回路は、前記受信信号が、角度変調された希望信号と角度変調された信号であって前記希望信号より電力レベルが高い干渉信号とを含む信号であり、前記干渉レプリカ原信号生成部が、前記受信信号の周波数検波を行い、前記受信信号の周波数の変位を振幅の変位として表す信号を出力する周波数検波部と、前記周波数検波部の出力信号を周波数変調することで前記干渉レプリカ原信号を生成して出力する周波数変調部とを備えるものであることを特徴とする。
【００１０】
また、本発明の他の干渉信号抑圧回路は、前記干渉レプリカ原信号生成部が、前記周波数検波部の出力信号を入力してその入力された信号の周波数帯域に所定の制限をかけた信号を前記周波数変調部に対して出力する帯域制限フィルタ、前記受信信号を入力して前記干渉信号の周波数帯域を通過させた信号を前記周波数検波部に対して出力する受信フィルタ、前記周波数変調部の入力信号に対して作用するフィルタであって前記希望信号を変調する際に使用される変調フィルタと同じ構成のフィルタ、又は、前記周波数変調部の入力信号に対して作用するフィルタであって前記希望信号を復調する際に使用される復調フィルタと同じ構成のフィルタの少なくとも１つをさらに備えることを特徴とする。
【００１１】
また、本発明の他の干渉信号抑圧回路は、前記周波数検波部へ入力される信号の周波数をシフトする周波数シフト部と、前記周波数変調部から出力された信号の周波数を逆シフトする周波数逆シフト部とをさらに備えることを特徴とする。
【００１２】
また、本発明の他の干渉信号抑圧回路は、縦続接続した複数の干渉信号抑圧回路を備えることを特徴とする。
【００１３】
また、本発明の他の干渉信号抑圧回路は、希望信号と複数の干渉信号とを含む受信信号を入力し、各干渉信号の複製信号をそれぞれ生成して干渉レプリカ原信号としてそれぞれ出力する複数の干渉レプリカ原信号生成部と、前記受信信号の振幅に応じて前記各干渉レプリカ原信号の振幅をそれぞれ変化させ、干渉レプリカ信号としてそれぞれ出力する複数のゲイン補正部と、前記受信信号を入力し、前記各干渉レプリカ原信号生成部及び前記各ゲイン補正部での処理時間分、前記受信信号を遅延させ、遅延受信信号として出力する遅延部と、トランスバーサルフィルタをそれぞれ有するものであって、所定の誤差信号と前記各干渉レプリカ信号とをそれぞれ入力し、前記誤差信号のパワーが小さくなるようにフィルタ特性を調節した前記各トランスバーサルフィルタに前記各干渉レプリカ信号を通した信号をそれぞれ出力する複数の適応フィルタと、前記遅延受信信号から前記各適応フィルタの出力信号を減じた信号を前記誤差信号として出力する加減算部とを備えることを特徴とする。
【００１４】
また、本発明の他の干渉信号抑圧回路は、前記複数の干渉信号の各周波数にそれぞれ対応した各通過帯域を有する複数のフィルタであって、前記受信信号を透過させた信号を前記各干渉レプリカ原信号生成部に対してそれぞれ出力する複数のフィルタをさらに備え、前記遅延部が、前記フィルタの処理時間分、さらに前記受信信号を遅延させることを特徴とする。
【００１５】
また、本発明の干渉信号抑圧方法は、希望信号と干渉信号とを含む受信信号を入力し、干渉信号の複製信号を生成して干渉レプリカ原信号として出力する干渉レプリカ原信号生成部と、前記受信信号の振幅に応じて前記干渉レプリカ原信号の振幅を変化させ、干渉レプリカ信号として出力するゲイン補正部と、前記受信信号を入力し、前記干渉レプリカ原信号生成部及び前記ゲイン補正部での処理時間分、前記受信信号を遅延させ、遅延受信信号として出力する遅延部と、トランスバーサルフィルタを有するものであって、所定の誤差信号と前記干渉レプリカ信号とを入力し、前記誤差信号のパワーが小さくなるようにフィルタ特性を調節した前記トランスバーサルフィルタに前記干渉レプリカ信号を通した信号を出力する適応フィルタと、前記遅延受信信号から前記適応フィルタの出力信号を減じた信号を前記誤差信号として出力する加減算部とを用いて、前記受信信号から前記干渉信号を抑圧した信号である干渉抑圧信号を前記加減算部の出力として求めることを特徴とする。
【発明の効果】
【００１６】
本発明の構成では、誤差信号のパワーが小さくなるようにトランスバーサルフィルタのフィルタ特性を調節することで受信信号に含まれている干渉信号を抑圧する。この構成は、誤差信号に応じてトランスバーサルフィルタの特性を調節するというフィードバック制御によって、トランスバーサルフィルタへ入力される干渉レプリカ信号の位相及び振幅を調整する。本発明の構成ではさらにゲイン補正部によって、受信信号の振幅に応じて干渉レプリカ信号の振幅を変化させる。すなわち、ゲイン補正部は、干渉レプリカ信号に対して、受信信号の振幅に応じたフィードフォワード制御を行う。したがって、本発明によれば、干渉信号を抑圧する際の追従性の向上を図ることができる。
【図面の簡単な説明】
【００１７】
【図１】本発明による干渉信号抑圧回路の一実施形態を示すブロック図である。
【図２】図１に示した干渉信号抑圧回路１０の各部の信号の周波数特性を模式的に示した図である。
【図３】図１に示した干渉レプリカ信号生成部１の一構成例を示したブロック図である。
【図４】図１に示した干渉レプリカ信号生成部１の他の構成例を示したブロック図である。
【図５】図１に示した干渉レプリカ信号生成部１の他の構成例を示したブロック図である。
【図６】図１に示した干渉レプリカ信号生成部１の他の構成例を示したブロック図である。
【図７】図５及び図６に示した干渉レプリカ原信号生成部１１ｃの変形例を示したブロック図である。
【図８】本発明による干渉信号抑圧回路の他の実施形態を示すブロック図である。
【図９】図８に示した干渉信号抑圧回路２０の各部の信号の周波数特性を模式的に示した図である。
【図１０】本発明による干渉信号抑圧回路の他の実施形態を示すブロック図である。
【図１１】図１０に示した干渉信号抑圧回路３０の各部の信号の周波数特性を模式的に示した図である。
【図１２】本発明による干渉信号抑圧回路の他の実施形態を示すブロック図である。
【発明を実施するための形態】
【００１８】
以下、図面を参照して本発明の実施の形態について説明する。図１は、本発明の一実施形態である干渉信号抑圧回路１０の構成例を示したブロック図である。図２は、図１に示した干渉信号抑圧回路１０の各部の信号の周波数特性を示した模式図である。
【００１９】
図１に示した干渉信号抑圧回路１０は、干渉レプリカ信号生成部１と、遅延部２と、干渉抑圧部３とを備えている。干渉信号抑圧回路１０は、例えばＤＳＰ（Ｄｉｇｉｔａｌ  Ｓｉｇｎａｌ  Ｐｒｏｃｅｓｓｏｒ）を用いて構成される。干渉信号抑圧回路１０は、希望信号と干渉信号とを含む受信信号を入力し（図２（ａ））、受信信号のうち干渉信号を抑圧した信号を干渉抑圧出力信号として出力する（図２（ｃ））。ここで、受信信号は、例えば所定の受信波をダウンコンバートした後、Ａ／Ｄ変換（アナログ・デジタル変換）したデジタルデータである。
【００２０】
干渉レプリカ信号生成部１は、干渉レプリカ原信号生成部１１と、ゲイン補正部１２とを備えている。干渉レプリカ原信号生成部１１は、希望信号と干渉信号とを含む受信信号を入力し、干渉信号の複製信号を生成して干渉レプリカ原信号として出力する。干渉信号の複製信号とは、図２（ａ）に示したような受信信号に含まれる希望信号とは異なる周波数特性を有する干渉信号を模した信号であり、干渉信号との類似度や相関度が高い信号を意味する。
【００２１】
干渉レプリカ原信号生成部１１は、例えば後述するように一旦干渉信号から変調信号を再生し、この再生した変調信号によって搬送波を再変調することで干渉信号のレプリカを生成したり、あるいは、後述するように周波数検波と周波数変調とを用いて干渉信号のレプリカを生成したりする構成とすることができる。
【００２２】
ゲイン補正部１２は、受信信号の振幅に応じて干渉レプリカ原信号の振幅を変化させ、干渉レプリカ信号として出力する。ここで干渉レプリカ原信号生成部１１が出力した干渉レプリカ原信号は、例えば図２（ｂ）に鎖線で示した周波数特性を有するものとなり、ゲイン補正部１２が出力した干渉レプリカ信号は、例えば図２（ｂ）に破線で示した周波数特性を有するものとなる。
【００２３】
遅延部２は、受信信号を入力し、干渉信号レプリカ生成回路１での処理時間分、すなわち干渉レプリカ原信号生成部１１及び前記ゲイン補正部１２での処理時間分、受信信号を遅延させ、遅延受信信号として出力する。
【００２４】
干渉抑圧部３は、加減算部３１と、適応フィルタ３２とを備えている。加減算部３１は、遅延部２が出力した遅延受信信号を加算入力へ入力し、適応フィルタ３２の出力を減算入力に入力して、遅延受信信号から適応フィルタ３２の出力信号を減じた信号を干渉抑圧出力信号として出力する。この干渉抑圧出力信号は、誤差信号として適応フィルタ３２へフィードバックされる。
【００２５】
適応フィルタ３２は、トランスバーサルフィルタ３３とタップ係数更新部３４とを備えている。トランスバーサルフィルタ３３は、縦続接続された複数の単位遅延回路と、各単位遅延回路の出力にタップ係数更新部３４から出力されたタップ係数を掛け合わせる複数の乗算回路と、複数の乗算回路での乗算結果を合成して出力する合成回路とを備えて構成されている。タップ係数更新部３４は、加減算部３１が出力した誤差信号のパワーが小さくなるように（すなわち誤差信号がＭＭＳＥ（Ｍｉｎｉｍｕｍ  Ｍｅａｎ  Ｓｑｕａｒｅ  Ｅｒｒｏｒ）となるように）タップ係数の値を更新する。タップ係数更新のアルゴリズムとしては例えばＬＭＳ（Ｌｅａｓｔ  Ｍｅａｎ  Ｓｑｕａｒｅ）法、ＲＬＳ（Ｒｅｃｕｒｓｉｖｅ  Ｌｅａｓｔ  Ｓｑｕａｒｅ）法などを用いることができる。適応フィルタ３２は、加減算部３１が出力した誤差信号と干渉レプリカ信号生成部１が出力した干渉レプリカ信号とを入力し、誤差信号のパワーが小さくなるようにフィルタ特性を調節したトランスバーサルフィルタ３３に干渉レプリカ信号を通した信号を出力する。ここで、干渉レプリカ信号は、受信信号に含まれる干渉信号を干渉レプリカ原信号生成部１１で複製した信号であり、受信信号に含まれる干渉信号に相関が高い信号である。そのため、誤差信号のパワーを小さくした結果として、加減算部３１が出力する干渉抑圧出力信号（すなわち誤差信号）は、図２（ｃ）に示したように、受信信号に含まれる干渉信号を抑圧した信号となる。
【００２６】
さらに本実施形態では、ゲイン補正部１２が受信信号の振幅に応じて干渉レプリカ原信号生成部１１が生成した干渉レプリカ原信号の振幅を変化させる。上述したように適応フィルタ３２は、誤差信号のパワーが小さくなるようにトランスバーサルフィルタ３３のフィルタ特性を調節し、受信信号に含まれている干渉信号を抑圧する。この構成では、干渉抑圧部３は、誤差信号に応じたトランスバーサルフィルタ３３の特性調節というフィードバック制御によって、トランスバーサルフィルタ３３へ入力される干渉レプリカ信号の位相及び振幅を調整している。
【００２７】
一方、ゲイン補正部１２は、受信信号の振幅に応じて干渉レプリカ信号の振幅を変化させることで、干渉レプリカ信号に対して受信信号の振幅に応じたフィードフォワード制御を加えている。例えば伝搬路変動等によって干渉信号に振幅変化が発生した場合、適応フィルタ３２によるフィードバック制御のみで干渉信号を抑圧しようとすると、適応フィルタ３２によるフィードバック制御に高い追従性能が求められることになる。これに対し本実施形態では、ゲイン補正部１２によって受信信号の振幅に応じたフィードフォワード制御を加えている。このため、適応フィルタ３２によるフィードバック制御では、フィードフォワード制御を行わない場合と比較して干渉レプリカ信号の振幅変化に関する追従性能への要求を一定程度緩和することが可能となる。すなわち、フィードフォワード制御を行わない場合と比較して、本実施形態では容易に干渉抑圧性能を向上させることができる。
【００２８】
次に、図３を参照して、図１に示した干渉レプリカ信号生成部１の一構成例について説明する。図３は、図１に示した干渉レプリカ信号生成部１の一構成例である干渉レプリカ信号生成部１ａの構成を示したブロック図である。図３に示した干渉レプリカ信号生成部１ａは、図１の干渉レプリカ原信号生成部１１に対応する干渉レプリカ原信号生成部１１ａと、図１のゲイン補正部１２に対応するゲイン補正部１２ａとを備えている。干渉レプリカ原信号生成部１１ａは、干渉信号復調部１１１と、干渉信号再変調部１１２とを備えている。干渉信号復調部１１１は、受信信号を入力し、受信信号に含まれる干渉信号のチャネルの信号を復調して、変調信号である０又は１の２値のデジタル信号からなるビット系列を出力する。干渉信号再変調部１１２は、干渉信号復調部１１１が出力したビット系列を入力し、干渉信号のチャネルの搬送波の周波数と干渉信号復調部１１１が復調時に再生したクロックとを用いて入力したビット系列を再変調して出力する。この干渉信号再変調部１１２が出力した信号が、干渉レプリカ原信号となる。
【００２９】
一方、ゲイン補正部１２ａは、絶対値算出部１２１と、乗算部１２２とを備えている。絶対値算出部１２１は、受信信号を入力し、受信信号の振幅の絶対値を算出し、受信信号の振幅を表す値として出力する。乗算部１２２は、絶対値算出部１２１が算出した絶対値に応じた値を干渉レプリカ原信号生成部１１ａが出力した干渉レプリカ原信号に対して乗じることで干渉レプリカ信号を算出して出力する。
【００３０】
図３に示した構成では、干渉信号を復調し、その復調した０又は１の２値信号からなるビット系列を一定の搬送波を用いて再変調することで干渉レプリカ原信号が生成される。この構成では、生成された干渉レプリカ原信号の振幅値は一定である。したがって、伝搬路変動等によって干渉信号等に振幅変動が発生した場合でも、干渉レプリカ原信号は、この振幅変動を表す情報を含んでいない。しかし、本実施形態の構成では、ゲイン補正部１２ａが受信信号の振幅変動に応じた情報を干渉レプリカ原信号に加えることで干渉レプリカ信号を生成する。したがって、干渉レプリカ信号の複製精度を向上させ、また干渉抑圧部３（図１）のＭＭＳＥ干渉抑圧追従性能の緩和を図ることができることから干渉抑圧性能を向上させることができる。
【００３１】
次に、図４を参照して、図１に示した干渉レプリカ信号生成部１の他の構成例について説明する。図４は、図１に示した干渉レプリカ信号生成部１の他の構成例である干渉レプリカ信号生成部１ｂの構成を示したブロック図である。なお、図４において、図３に示したものと同一の構成には同一の符号を付けて説明を省略する。図４に示した干渉レプリカ信号生成部１ｂは、図３を参照して説明した干渉レプリカ原信号生成部１１ａと、図３のゲイン補正部１２ａに対応するゲイン補正部１２ｂとを備えている。
【００３２】
ゲイン補正部１２ｂは、図３を参照して説明した絶対値算出部１２１と乗算部１２２とを備えるとともに、絶対値算出部１２１の出力を入力し、出力を乗算部１２２へと入力する移動平均算出部１２３を備えている。移動平均算出部１２３は、絶対値算出部１２１が出力した受信信号の振幅を表す信号を入力し、その移動平均を算出した結果を乗算部１２２へと入力する。この移動平均算出部１２３は、絶対値算出部１２１の出力値に含まれる変動を平均化処理によってより緩やかな変動へと変化させる。この移動平均算出部１２３を設けることで、例えば、受信信号に含まれる希望信号、ノイズ信号等、干渉信号と異なる他の信号に変動が生じた場合にその影響を軽減し、干渉信号の複製精度を向上させることができる。
【００３３】
なお、移動平均算出部１２３の構成は、単純移動平均を算出する構成のほか、指数移動平均、加重移動平均等の他の移動平均を算出する構成（あるいは他のローパスフィルタを構成するもの）としてもよい。
【００３４】
次に、図５を参照して、図１に示した干渉レプリカ信号生成部１の他の構成例について説明する。図５は、図１に示した干渉レプリカ信号生成部１の他の構成例である干渉レプリカ信号生成部１ｃの構成を示したブロック図である。図５に示した干渉レプリカ信号生成部１ｃは、図１の干渉レプリカ原信号生成部１１に対応する干渉レプリカ原信号生成部１１ｃと、図３を参照して説明したゲイン補正部１２ａとを備えている。
【００３５】
干渉レプリカ原信号生成部１１ｃは、周波数検波部１１３と、周波数変調部１１４とを備えている。周波数検波部１１３は、受信信号を入力し、周波数検波を行い、入力信号の周波数の変位を振幅値の変位に変換して出力する。すなわち、周波数検波部１１３は、受信信号を入力し、受信信号に対して周波数検波を行い、受信信号の周波数変化を振幅値で表した多値のデジタル信号からなる信号を出力する。
【００３６】
なお、上記で図３を参照して説明した干渉レプリカ原信号生成部１１ａには、受信信号に含まれる希望信号や干渉信号の変調方式や信号レベルについては特に限定がない。一方、図５に示した干渉レプリカ原信号生成部１１ｃには一定の限定があり、干渉レプリカ原信号生成部１１ｃは、入力される受信信号が次の態様を有していることが求められる。すなわち、受信信号に含まれる希望信号と干渉信号はともに角度変調された信号であり、かつ干渉信号の振幅が希望信号の振幅より大きいものであることが求められる。ここで、干渉信号の振幅は希望信号の振幅より２倍以上であることが好ましい。ここで、角度変調は、ＦＳＫ（Ｆｒｅｑｕｅｎｃｙ−ｓｈｉｆｔ  ｋｅｙｉｎｇ；周波数偏移変調）、ＦＭ（ｆｒｅｑｕｅｎｃｙ  ｍｏｄｕｌａｔｉｏｎ；周波数変調）等の情報を搬送波の周波数の変化で伝送する変調方式と、ＰＳＫ（ｐｈａｓｅ−ｓｈｉｆｔ  ｋｅｙｉｎｇ；位相偏移変調）、ＰＭ（ｐｈａｓｅ  ｍｏｄｕｌａｔｉｏｎ；位相変調）等の情報を搬送波の位相の変化で伝送する変調方式を含む。一定の包絡振幅を持つ角度変調された信号を受信する場合、希望信号の電力レベルと干渉信号の電力レベル（すなわち搬送波振幅の大きさ）に差がある場合、電力が小さい信号は電力が大きい信号に打ち消される特性がある。このため、図５に示した周波数検波部１１３は、受信信号に含まれている、角度変調された希望信号と角度変調された干渉信号との電力レベルに差がある場合、受信信号のうち電力レベルが高い方の干渉信号の周波数変位により相関が高い変位を示す振幅値を持った信号を出力する。
【００３７】
そして、周波数変調部１１４は、周波数検波部１１３の出力信号を周波数変調することで干渉レプリカ原信号を出力する。周波数変調部１１４が出力した干渉レプリカ原信号は、例えば図２（ｂ）に示した周波数特性を有するものとなる。
【００３８】
図５に示した干渉レプリカ原信号生成部１１ｃでは、干渉信号を含む受信信号を周波数検波し、その検波結果として得られた多値のデジタル信号の系列で一定の搬送波を周波数変調することで干渉レプリカ原信号が生成される。この構成では、生成された干渉レプリカ原信号の振幅値は一定である。したがって、伝搬路変動等によって干渉信号等に振幅変動が発生した場合でも、干渉レプリカ原信号は、この振幅変動を表す情報を含んでいない。しかし、本実施形態の構成では、ゲイン補正部１２ａが受信信号の振幅変動に応じた情報を干渉レプリカ原信号に加えることで干渉レプリカ信号を生成する。したがって、干渉レプリカ信号の複製精度を向上させ、また干渉抑圧部３（図１）のＭＭＳＥ干渉抑圧追従性能の緩和から干渉抑圧性能を向上させることができる。
【００３９】
ところで、図３を参照して説明した干渉レプリカ原信号生成部１１ａは、干渉信号の復調時に干渉信号に含まれているクロックを再生し、復調した干渉信号をその再生したクロックを用いて再変調する。この構成では、再変調された干渉信号のシンボルタイミングは再生クロックのタイミングに依存する。一方、干渉信号が含んでいるビット系列にビット単位でずれ（あるいは、ゆらぎ）が生じていたとすると、複製精度の点からみると、再変調された干渉信号（すなわち干渉レプリカ原信号）はそのずれをそのまま含んでいることが望ましい。しかし、再変調された干渉レプリカ原信号のシンボルタイミングが再生クロックのタイミングに依存する構成では、シンボルタイミングが不適切に補正されてしまい（例えば不当間隔であるべきものが等間隔に並んでしまう等）、干渉信号の複製精度が低くなる場合がある。これに対し、図５に示した干渉レプリカ原信号生成部１１ｃは、ともに角度変調された希望信号と干渉信号との電力レベルに差がある場合、周波数検波部１１３によって、受信信号のうち干渉信号の周波数変位に応じた振幅値を有する信号を生成する。そして、周波数検波部１１３が出力した振幅信号を再度周波数変調することで干渉信号に相関が高い干渉レプリカ原信号を生成する。これらの処理は、干渉信号のクロックや搬送波を再生したり、再生したクロックや搬送波に応じて変調したりする処理を伴っていない。したがって、シンボルタイミングや搬送波周波数のずれが小さく、複製精度が高い干渉レプリカ原信号の生成が可能となる。このため、干渉抑圧部３では、周波数誤差、タイミング誤差等の調整が不要となり、各種誤差耐力特性の改善、回路規模の縮小（例えばトランスバーサルフィルタ３３のタップ数の低減等）の効果が得られる。
【００４０】
次に、図６を参照して、図１に示した干渉レプリカ信号生成部１の他の構成例について説明する。図６は、図１に示した干渉レプリカ信号生成部１の他の構成例である干渉レプリカ信号生成部１ｄの構成を示したブロック図である。なお、図６において、図４又は図５に示したものと同一の構成には同一の符号を付けて説明を省略する。図６に示した干渉レプリカ信号生成部１ｄは、図５を参照して説明した干渉レプリカ原信号生成部１１ｃと、図４を参照して説明したゲイン補正部１２ｂとを備えている。干渉レプリカ信号生成部１ｄは、干渉レプリカ原信号生成部１１ｃとゲイン補正部１２ｂとを備えることで、図５を参照して説明した干渉レプリカ生成部１ｃによる干渉信号抑圧性能の向上効果に加え、受信信号に含まれる希望信号、ノイズ信号等、干渉信号ではない他の信号に変動が生じた場合にその影響を軽減し、干渉信号の複製精度を向上させることができるという効果を奏する。
【００４１】
次に、図７を参照して、図５及び図６に示した干渉レプリカ原信号生成部１１ｃの変形例について説明する。図７（ａ）、（ｂ）及び（ｃ）は、図５及び図６に示した干渉レプリカ原信号生成部１１ｃの変形例３例を、干渉レプリカ原信号生成部１１ｅ、１１ｆ及び１１ｇとして示したブロック図である。なお、図５及び図６に示した構成と同一の構成には同一の符号を用いている。
【００４２】
図７（ａ）に示した干渉レプリカ原信号生成部１１ｅは、図５に示した干渉レプリカ原信号生成部１１ｃと比較して、周波数検波部１１３と、周波数変調部１１４との間に、帯域制限フィルタ１１５を新たに設けた構成である。帯域制限フィルタ１１５は、周波数検波部１１３の出力信号を入力し、その入力された信号の周波数帯域に所定の制限をかけた信号を周波数変調部１１４に対して出力する。帯域制限フィルタ１１５は、周波数変調部１１３から出力された周波数変位を振幅値で表す信号に、例えば、干渉信号の変調信号（すなわち情報信号）の周波数から離れた周波数成分（低周波や高周波の雑音成分）を減衰させる特性を有するフィルタである。この帯域制限フィルタ１１５を設けることで、他信号やノイズの影響を軽減することができ、干渉レプリカ原信号の生成精度が向上する（すなわち干渉レプリカ原信号と受信信号に含まれる干渉信号との相関度を大きくすることができる）。
【００４３】
図７（ｂ）に示した干渉レプリカ原信号生成部１１ｆは、図７（ａ）に示した干渉レプリカ原信号生成部１１ｅに対し、さらに、受信フィルタ１１６を追加した構成である。受信フィルタ１１６は、受信信号を入力し、干渉信号の周波数帯域を通過させた信号を周波数検波部１１３に対して出力する。すなわち、受信フィルタ１１６は、図２（ａ）に示したような受信信号において、干渉信号の周波数ｆ２近傍の周波数帯域を通過し、希望波の周波数ｆ１近傍の周波数帯域を遮断するような特性を有するフィルタとして構成する。この受信フィルタ１１６を設けることで、受信信号に希望波や他の雑音信号が含まれている場合に希望波や他の雑音信号の影響を軽減することができ、干渉レプリカ原信号の生成精度が向上する。
【００４４】
そして、図７（ｃ）に示した干渉レプリカ原信号生成部１１ｇは、図７（ｂ）に示した干渉レプリカ原信号生成部１１ｆに対し、さらに、復調部フィルタ１１７と、変調部フィルタ１１８と、周波数シフト部１１９−１及び周波数逆シフト部１１９−２とを追加した構成である。この場合、復調部フィルタ１１７と変調部フィルタ１１８とは、周波数変調部１１４の入力信号に対して作用するフィルタとして追加されている。周波数シフト部１１９−１は受信フィルタ１１６の出力を入力し、周波数をシフトした信号を周波数検波部１１３へ入力する。また、周波数逆シフト部１１９−２は周波数変調部１１４の出力を入力し、周波数を逆シフトした信号を出力する。復調部フィルタ１１７は受信機において希望波を復調する際に通信方式の規格上要求されるフィルタと同じ構成のフィルタである。また、変調部フィルタ１１８は送信機において希望波を変調する際に通信方式の規格上要求されるフィルタと同じ構成のフィルタであり、例えば復調部フィルタ１１７と逆特性を有するフィルタである。より具体的には例えばＡＰＣＯ−Ｐ２５（米国のディジタル無線の規格）では、復調部フィルタ１１７はｓｉｎｃフィルタ（すなわちｓｉｎｃ関数型スペクトルを用いたフィルタ）から、そして、変調部フィルタ１１８はロールオフフィルタと逆ｓｉｎｃフィルタとから構成することができる。また、これらの復調部フィルタ１１７と変調部フィルタ１１８とはいずれか一方のみを設けることもできる。この復調部フィルタ１１７と変調部フィルタ１１８とを設けることで、他信号やノイズの影響を軽減することができ、干渉レプリカ信号の生成精度が向上する。周波数シフト部１１９−１と周波数逆シフト部１１９−２とは互いに逆の周波数変換を行う回路から構成されている。この場合、周波数シフト部１１９−１は、周波数検波部１１３へ入力される信号の周波数をシフトする。他方、周波数逆シフト部１１９−２は、周波数変調部１１４から出力された信号の周波数を逆シフトする。例えば、周波数シフト部１１９−１は、入力された信号の周波数を所定の周波数に低下させて出力する。他方、周波数逆シフト部１１９−２は、入力された信号の周波数を、周波数シフト部１１９−１へ入力された信号の周波数と同じ周波数に上昇させて出力する。周波数シフト部１１９−１と周波数逆シフト部１１９−２とを設けることで、周波数検波部１１３、周波数変調部１１４等の回路における回路規模の縮小や誤差の低減による抑圧性能の改善を図ることができる。
【００４５】
なお、図７に示した干渉レプリカ原信号生成部１１ｃの変形例は、これらに限らず、図７（ｂ）で帯域制限フィルタ１１５を省略した構成や、図７（ｃ）で帯域制限フィルタ１１５や受信フィルタ１１６を省略した構成であってもよい。また、図７（ｃ）の受信フィルタ１１６、帯域制限フィルタ１１５、復調部フィルタ１１７、変調部フィルタ１１８、周波数シフト部１１９−１及び周波数逆シフト部１１９−２の一部は任意に省略することができる。
【００４６】
次に、図８及び図９を参照して、本発明の他の実施形態について説明する。図８は、本発明の他の実施形態である干渉信号抑圧回路２０の構成例を示したブロック図である。図９は、図８に示した干渉信号抑圧回路２０の各部の信号の周波数特性を示した模式図である。なお、図８及び図９において、図１及び図２と同一の構成には同一の符号を用いている。
【００４７】
図８に示した干渉信号抑圧回路２０は、縦続接続した複数の干渉信号抑圧回路１０−１、１０−２、…を備えて構成されている。複数の干渉信号抑圧回路１０−１、１０−２、…は、それぞれ図１に示した干渉信号抑圧回路１０と同一の構成である。ただし、干渉レプリカ原信号生成部１１の内部構成を図３や図４に示した干渉信号のビット系列を一旦再生した後、干渉レプリカ原信号を複製する構成（以下、再生型レプリカ生成による構成と呼ぶ）とする場合には、各段の干渉レプリカ原信号生成部１１は対象となる干渉信号の周波数に合わせた互いに異なる設定を行うことになる。一方、干渉レプリカ原信号生成部１１の内部構成を図５や図６に示した干渉信号のビット系列を再生せずに干渉レプリカ原信号を複製する構成（以下、非再生型レプリカ生成による構成と呼ぶ）とする場合には、各段の干渉レプリカ原信号生成部１１は同一の設定とすることが可能である。
【００４８】
図８に示した干渉信号抑圧回路２０へは、図９（ａ）に示したように、受信信号として、希望波と、複数の干渉信号（この例では第１干渉信号と第２干渉信号）とを含んだ信号が入力される。この場合、希望波の搬送波の周波数はｆ１、第１干渉信号の搬送波の周波数はｆ２、そして、第３干渉信号の搬送波の周波数はｆ３である。ここで、干渉レプリカ原信号生成部１１を再生型レプリカ生成による構成とする場合には、希望波、第１干渉信号及び第２干渉信号の変調方式や振幅レベルに特に限定はない。ただし、干渉信号抑圧回路１０−１内の干渉レプリカ原信号生成部１１はそれが第１干渉信号を複製対象とするように予め設定し、干渉信号抑圧回路１０−２内の干渉レプリカ原信号生成部１１はそれが第２干渉信号を複製対象とするように予め設定しておく。
【００４９】
一方、干渉レプリカ原信号生成部１１を非再生型レプリカ生成による構成とする場合には、希望波、第１干渉信号及び第２干渉信号はいずれもアナログ又はデジタルの周波数又は位相変調（すなわち角度変調）された信号である。さらに、第１干渉信号の搬送波の電力レベルは第２干渉信号の搬送波の電力レベルより大きく、第２干渉信号の搬送波の電力レベルは希望波の搬送波の電力レベルより大きい。
【００５０】
干渉レプリカ原信号生成部１１を再生型レプリカ生成による構成とする場合、図８に示した構成では、干渉信号抑圧回路１０−１内の干渉レプリカ信号生成部１から出力された第１干渉レプリカ信号は、例えば図９（ｂ）に示したように、第１干渉信号の信号に最も相関する信号となる。そのため、干渉信号抑圧回路１０−１からは、図９（ｃ）に示したように、第１干渉信号が抑圧された信号が、第１干渉抑圧出力信号として出力される。次に、干渉信号抑圧回路１０−２内の干渉レプリカ信号生成部１から出力された第２干渉レプリカ信号は、例えば図９（ｄ）に示したように、図９（ｃ）に示した第２干渉信号の信号に最も相関する信号となる。そのため、干渉信号抑圧回路１０−２からは、図９（ｅ）に示したように、さらに第２干渉信号が抑圧された信号が、第２干渉抑圧出力信号として出力される。
【００５１】
一方、干渉レプリカ原信号生成部１１を非再生型レプリカ生成による構成とする場合、図８に示した構成では、干渉信号抑圧回路１０−１内の干渉レプリカ原信号生成部１１は周波数検波によって得た受信信号中で最もレベルが大きい第１干渉信号の周波数変位に相関が高い振幅値を有する信号を周波数変調した信号である干渉レプリカ原信号を出力する。したがって、干渉信号抑圧回路１０−１内の干渉レプリカ信号生成部１から出力された第１干渉レプリカ信号は、例えば図９（ｂ）に示したように、第１干渉信号の信号に最も相関する信号となる。そのため、干渉信号抑圧回路１０−１からは、図９（ｃ）に示したように、第１干渉信号が抑圧された信号が、第１干渉抑圧出力信号として出力される。次に、干渉信号抑圧回路１０−２内の干渉レプリカ原信号生成部１１は周波数検波によって得た第１干渉抑圧出力信号中で最もレベルが大きい第２干渉信号の周波数変位に相関が高い振幅値を有する信号を周波数変調した信号である干渉レプリカ原信号を出力する。したがって、干渉信号抑圧回路１０−２内の干渉レプリカ信号生成部１から出力された第２干渉レプリカ信号は、例えば図９（ｄ）に示したように、図９（ｃ）に示した第１干渉抑圧出力信号中で最もレベルが大きい第２干渉信号の信号に最も相関する信号となる。そのため、干渉信号抑圧回路１０−２からは、図９（ｅ）に示したように、さらに第２干渉信号が抑圧された信号が、第２干渉抑圧出力信号として出力される。
【００５２】
上記のように、図８に示した干渉信号抑圧回路２０では、受信信号中に複数の干渉信号がある場合でも、干渉信号抑圧回路１０−１、１０−２、…を多段化し、一方、再生型レプリカ生成では予め設定した干渉信号を順次抑圧することで、複数の干渉信号を抑圧することができ、他方、非再生型レプリカ生成では高レベルの干渉信号から順番に抑圧することで、複数の干渉信号を抑圧することができる。
【００５３】
次に、図１０及び図１１を参照して、本発明の他の実施形態について説明する。図１０は、本発明の他の実施形態である干渉信号抑圧回路３０の構成例を示したブロック図である。図１１は、図２及び図９と同様にして、図１０に示した干渉信号抑圧回路３０の各部の信号の周波数特性を示した模式図である。なお、図１０及び図１１において、図１及び図２と同一の構成には同一の符号を用いている。
【００５４】
図１０に示した干渉信号抑圧回路３０は、干渉レプリカ信号生成部１−１と、干渉レプリカ信号生成部１−２と、遅延部２と、適応フィルタ３２−１と、適応フィルタ３２−２と、加減算部３１ｈとを備えている。これらの構成のうち、干渉レプリカ信号生成部１−１及び１−２は、図１に示した干渉レプリカ信号生成部１と同一の構成である。適応フィルタ３２−１及び３２−２は、図１に示した適応フィルタ３２と同一の構成である。
【００５５】
干渉レプリカ信号生成部１−１は、図１１（ａ）に示したような受信信号を入力し、図１１（ｂ）に示したような第１干渉レプリカ信号を生成し、適応フィルタ３２−１内のトランスバーサルフィルタ３３に対して出力する。干渉レプリカ信号生成部１−２は、図１１（ａ）に示したような受信信号を入力し、図１１（ｃ）に示したような第２干渉レプリカ信号を生成し、適応フィルタ３２−２内のトランスバーサルフィルタ３３に対して出力する。遅延部２は、図１１（ａ）に示したような受信信号を入力し、干渉レプリカ信号生成部１−１及び１−２の処理時間分、遅延した信号である遅延時間受信信号を生成し、加減算部３１ｈの加算入力に対して出力する。
【００５６】
加減算部３１ｈは、遅延部２が出力した遅延受信信号を加算入力へ入力し、適応フィルタ３２−１及び３２−２の各出力を各減算入力に入力して、遅延受信信号から適応フィルタ３２−１及び適応フィルタ３２−２の各出力信号を減じた信号を干渉抑圧出力信号として出力する。この干渉抑圧出力信号は、誤差信号として適応フィルタ３２−１及び３２−２へフィードバックされる。適応フィルタ３２−１内のタップ係数更新部３４は、加減算部３１ｈが出力した誤差信号のパワーが小さくなるように適応フィルタ３２−１内のトランスバーサルフィルタ３３のタップ係数の値を更新する。適応フィルタ３２−２内のタップ係数更新部３４は、加減算部３１ｈが出力した誤差信号のパワーが小さくなるように適応フィルタ３２−２内のトランスバーサルフィルタ３３のタップ係数の値を更新する。
【００５７】
次に、干渉レプリカ信号生成部１−１及び１−２の構成及び設定の仕方について説明する。まず、干渉レプリカ信号生成部１−１及び１−２を、再生型レプリカ生成による構成とする場合について説明する。この場合、干渉レプリカ信号生成部１−１及び１−２の構成を、図３に示した干渉レプリカ信号生成部１ａとする。そして、干渉レプリカ信号生成部１−１及び１−２（すなわち干渉レプリカ信号生成部１ａ）が復調及び再生する干渉信号の周波数を、図１１に示した第１干渉信号の搬送波周波数ｆ２と第２干渉信号の搬送波周波数ｆ３とにそれぞれ設定する。
【００５８】
次に、干渉レプリカ信号生成部１−１及び１−２を、非再生型レプリカ生成による構成とする場合について説明する。この場合、干渉レプリカ信号生成部１−１及び１−２の構成を、図７（ｂ）又は（ｃ）に示した干渉レプリカ原信号生成部１１ｆ又は１１ｇと、図５又は図６に示したゲイン補正部１２ａ又は１２ｂとを組み合わせた構成とする。すなわち、干渉レプリカ信号生成部１−１及び１−２の構成を、例えば図５に示した干渉レプリカ信号生成部１ｃにおいて干渉レプリカ原信号生成部１１ｃを図７（ｂ）又は（ｃ）に示した干渉レプリカ原信号生成部１１ｆ又は１１ｇに代えた構成とする。そして、干渉レプリカ原信号生成部１１ｆ又は１１ｇが備える受信フィルタ１１６のフィルタ特性を次のように設定する。すなわち、干渉レプリカ信号生成部１−１内の受信フィルタ１１６のフィルタ特性を、図２（ａ）に破線で示した第１干渉信号用フィルタ通過帯域を有するものに設定する。また、干渉レプリカ信号生成部１−２内の受信フィルタ１１６のフィルタ特性を、図２（ａ）に鎖線で示した第２干渉信号用フィルタ通過帯域を有するものに設定する。ここで、図２（ａ）に破線で示した第１干渉信号用フィルタ通過帯域は、搬送波周波数ｆ２の第１干渉信号の搬送波帯域をほぼ全域にわたって減衰せずに透過し、他の周波数帯域を減衰させる帯域通過特性を有している。また、図２（ａ）に鎖線で示した第２干渉信号用フィルタ通過帯域は、搬送波周波数ｆ３の第２干渉信号の搬送波帯域をほぼ全域にわたって減衰せずに透過し、他の周波数帯域を減衰させる帯域通過特性を有している。ただし、第１及び第２干渉信号用フィルタ通過帯域は、図２（ａ）に示したように自己の干渉信号の搬送波帯域外の周波数を鋭く減衰させるものに限らず、少なくとも他の干渉信号の振幅レベルを、自己の干渉信号の振幅レベルより小さくできるように設定されたものであれば、比較的広く通過帯域を設定したものであってもよい。なお、図１０に示した干渉信号抑圧回路３０では、非再生型レプリカ生成による構成を用いる場合であっても、受信フィルタ１１６を第１及び第２干渉信号用フィルタ通過帯域を有するように設定するので、第１干渉信号の振幅レベルと第２干渉信号の振幅レベルとを同等なものとすることもできる。
【００５９】
上記の構成及び設定を用いることで、図１０に示した干渉信号抑圧回路３０は、図１１（ａ）に示したような受信信号を入力した場合に、図１１（ｄ）に示したように第１干渉信号と第２干渉信号とを抑圧した干渉抑圧信号を加減算部３１ｈから出力する。
【００６０】
なお、図１０に示した干渉信号抑圧回路３０は、干渉レプリカ信号生成部１−１及び１−２と適応フィルタ３２−１及び３２−２とを組み合わせたものを２組並列接続した構成を有しているが、３組以上並列接続した構成を有するようにしてもよい。また、図７（ｂ）又は（ｃ）に示した干渉レプリカ原信号生成部１１ｆ又は１１ｇを用いる場合、受信フィルタ１１６以外のフィルタや周波数シフト部１１９−１及び周波数逆シフト部１１９−２は省略可能である。
【００６１】
次に、図１２を参照して、本発明の他の実施形態について説明する。図１２は、本発明の他の実施形態である干渉信号抑圧回路４０の構成例を示したブロック図である。なお、図１２において、図１０と同一の構成には同一の符号を用いている。また、干渉信号抑圧回路４０の各部の周波数特性は図１１と同等である。図１２に示した干渉信号抑圧回路４０は、図１０に示した干渉信号抑圧回路３０と比較して、第１干渉信号用フィルタ４−１と、第２干渉信号用フィルタ４−２とを新たに備えている。さらに、干渉信号抑圧回路４０では、図１０に示した遅延部２に対応する構成である遅延部２ｈにおける遅延時間が、新たに追加した構成である第１干渉信号用フィルタ４−１及び第２干渉信号用フィルタ４−２の処理時間分延長されている。すなわち、遅延部２ｈは、図１１（ａ）に示したような受信信号を入力し、第１干渉信号用フィルタ４−１及び第２干渉信号用フィルタ４−２の処理時間と干渉レプリカ信号生成部１−１及び１−２の処理時間とを合わせた時間分、遅延した信号である遅延時間受信信号を生成し、加減算部３１ｈの加算入力に対して出力する。
【００６２】
第１干渉信号用フィルタ４−１は、図１１（ａ）に示した第１干渉信号の搬送波周波数ｆ２に対応した通過帯域を有するフィルタであって、受信信号を透過させた信号を干渉レプリカ原信号生成部１−１に対して出力する。第２干渉信号用フィルタ４−２は、図１１（ａ）に示した第２干渉信号の搬送波周波数ｆ３に対応した通過帯域を有するフィルタであって、受信信号を透過させた信号を干渉レプリカ原信号生成部１−２に対して出力する。すなわち、第１干渉信号用フィルタ４−１は、図１１（ａ）で破線で示した第１干渉信号用フィルタ通過帯域を有するフィルタである。また、第２干渉信号用フィルタ４−２は、図１１（ａ）で鎖線で示した第２干渉信号用フィルタ通過帯域を有するフィルタである。
【００６３】
図１２に示した干渉信号抑圧回路４０では、干渉レプリカ原信号生成部１−１及び干渉レプリカ原信号生成部１−２の構成は、図３等に示したような再生型レプリカ生成による構成を有するものであってもよいし、図５等に示したような非再生型レプリカ生成による構成を有するものであってもよい。また、非再生型レプリカ生成による構成を用いる場合には、受信フィルタ１１６を含んでいない図５に示した干渉レプリカ原信号生成部１１ｃや図７（ａ）に示した干渉レプリカ原信号生成部１１ｅのような構成を用いることができる。
【００６４】
また、図１２に示した干渉信号抑圧回路４０においても、図１０に示した干渉信号抑圧回路３０と同様に、図１１（ａ）に示したような受信信号を入力した場合に、加減算部３１ｈから図１１（ｄ）に示したように第１干渉信号と第２干渉信号とを抑圧した干渉抑圧信号を出力することができる。なお、図１２に示した干渉信号抑圧回路４０は、第１干渉信号用フィルタ４−１及び第２干渉信号用フィルタ４−２と干渉レプリカ信号生成部１−１及び１−２と適応フィルタ３２−１及び３２−２とを組み合わせたものを２組並列接続した構成を有しているが、３組以上並列接続した構成を有するようにしてもよい。また、図７に示した干渉レプリカ原信号生成部１１ｅ、１１ｆ又は１１ｇを用いる場合、受信フィルタ１１６を含めて各フィルタや周波数シフト部１１９−１及び周波数逆シフト部１１９−２は適宜省略可能である。
【００６５】
以上のように、本発明の各実施形態によれば、適応フィルタの特性調節によるフィードバック制御によって、干渉レプリカ信号の位相及び振幅を調整するとともに、ゲイン補正部による受信信号の振幅に応じた干渉レプリカ信号の振幅に対するフィードフォワード制御を行うので、干渉信号を抑圧する際の追従性の向上を図ることができる。
【００６６】
なお、本発明の実施の形態は上記のものに限定されず、例えば受信信号の振幅を表す信号を求める構成を、絶対値算出部に代えて２乗値や２乗値の平方根を算出する構成に変更する等の構成の変更を適宜行うことができる。
【符号の説明】
【００６７】
１０、１０−１、１０−２、２０、３０、４０  干渉信号抑圧回路
１、１−１、１−２  干渉レプリカ信号生成部
２、２ｈ  遅延部
３  干渉抑圧部
１１、１１ａ〜１１ｃ、１１ｅ〜１１ｇ  干渉レプリカ原信号生成部
１２、１２ａ、１２ｂ  ゲイン補正部
３１、３１ｈ  加減算部
３２、３２−１、３２−２  適応フィルタ
３３  トランスバーサルフィルタ
３４  タップ係数更新部
４−１  第１干渉信号用フィルタ
４−２  第２干渉信号用フィルタ
１１１  干渉信号復調部
１１２  干渉信号再変調部
１１３  周波数検波部
１１４  周波数変調部
１１５  帯域制限フィルタ
１１６  受信フィルタ
１１７  復調部フィルタ
１１８  変調部フィルタ
１１９−１  周波数シフト部
１１９−２  周波数逆シフト部
１２１  絶対値算出部
１２２  乗算部
１２３  移動平均算出部
【図１】
2015192292.tif 000003
【図２】
2015192292.tif 000004
【図３】
2015192292.tif 000005
【図４】
2015192292.tif 000006
【図５】
2015192292.tif 000007
【図６】
2015192292.tif 000008
【図７】
2015192292.tif 000009
【図８】
2015192292.tif 000010
【図９】
2015192292.tif 000011
【図１０】
2015192292.tif 000012
【図１１】
2015192292.tif 000013
【図１２】
2015192292.tif 000014